(57)【特許請求の範囲】
【請求項１】
電気的に対をなすカード式球貸装置とパチンコ機の組合せであって、
前記カード式球貸装置を経由してパチンコ機の電源を接続し、そのカード式球貸装置への電源投入に伴ってパチンコ機に電源が供給されるようにしたことを特徴とするカード式球貸装置とパチンコ機の組合せ。
【発明の詳細な説明】
【０００１】
【産業上の利用分野】
本発明は、プリペイドカードを使用してパチンコ球を貸し出すようにしたカード式球貸装置とパチンコ機に関する。
【０００２】
【従来の技術】
パチンコ業界において、プリペイドカードでパチンコ球を貸し出すようにしたカード式球貸装置が普及しつつある。そのカード式球貸装置とは、薄型のケース体内にカードリーダーと球貸用制御装置を内蔵し、それをパチンコ機の横に並設してパチンコ機と電気的に接続するようにしたものである。ところで、現在、前記カード式球貸装置を設けたパチンコ機専用の新しいゲーム内容が提案されている。
【０００３】
【発明が解決しようとする課題】
上記の新しいゲーム内容のパチンコ機が実施された場合、第一に、先ず、カード式球貸装置を設けたパチンコ機を形式的に導入し、次に、例えばカード式球貸装置のみ電源を切ったり、或いはカードリーダーの挿入・排出口に蓋をする等して、実質的にプリペイドカードの使用を不能にし、以てカード式球貸装置を使用しないで新しいゲーム内容の利益のみを享受するような不正行為が考えられる。
【０００４】
第二に、パチンコ機は、遊技板を取り替えることによって入賞装置や遊技用制御装置等（ゲーム内容）を簡単に変更することができるから、前記新しいゲーム内容の遊技板を、カード式球貸装置を設けていないパチンコ機に装着することによって、その新しいゲーム内容による利益のみを享受するような行為が考えられる。このような行為が横行すると、カード式球貸装置を設けたパチンコ機専用のゲーム内容の開発が無意味になってしまうため、何らかの防止策が必要であった。
【０００５】
【課題を解決するための手段】
そこで本発明は、電気的に対をなすカード式球貸装置とパチンコ機の組合せであって、前記カード式球貸装置を経由してパチンコ機の電源を接続し、そのカード式球貸装置への電源投入に伴ってパチンコ機に電源が供給されるようにしたカード式球貸装置とパチンコ機の組合せを提供する。
【０００６】
【作用】
カード式球貸装置の電源投入に伴って電源がパチンコ機に供給されるため、カード式球貸装置の電源を切った状態ではゲームを開始することができない。
【０００７】
【実施例】
以下に本発明の実施例を図面を参照しつつ説明する。なお、図１はパチンコ機とカード式球貸装置を組み合わせた透視斜視図、図２はパチンコ機とカード式球貸装置を組み合わせた裏面図である。
【０００８】
パチンコ機Ｐは、長方形の枠状をなす外枠１と、その外枠１の一側に開閉自在に蝶着した前枠２とを有する。前枠２には、窓孔３が開設されており、該窓孔３を塞ぐように、上にガラス扉枠４が、下に前面板５が夫々開閉自在に装着されている。該前面板５は、その前面にパチンコ球を溜める上球皿６ａと、後述するカード式球貸装置Ｃに貸球命令をキー入力する貸球ボタン７やプリペイドカードの返却命令等をキー入力する返却ボタン８、及び、プリペイドカードの残額を表示する残額表示部９等を設けた操作パネル１０を有する。
【０００９】
一方、前枠２の裏面には遊技板１１と、該遊技板１１に固着した遊技用制御装置１２と、前記遊技板１１に重合する機構板１３が設けられている。その他前枠２には、前記上球皿６ａからの溢れ球を受ける下球皿６ｂと、パチンコ球の発射勢を調節する操作ハンドル１４等が設けられている。
【００１０】
前記遊技用制御装置１２は、プリペイドカードの導入促進策に対応するものであり、例えば３組の数字や図形の組合せ成立で特賞遊技状態に変化する入賞装置（図示せず）の組合せ成立の確率をＨ，Ｍ，Ｌの３段階で切り替える調節スイッチ１５を設けたものである。
【００１１】
前記機構板１３は、遊技板１１に対して開閉自在なるように該遊技板１１を囲う周枠１６に蝶着されている。この機構板１３には上から順に、パチンコ球を蓄える球タンク１７と、球タンク１７のパチンコ球を流下させる導入樋１８と、該導入樋１８の終端に連通し一定数（例えば１５個）の景品球をモータの駆動で放出する景品球放出装置１９と、該景品球放出装置１９から放出されたパチンコ球を前記上球皿６ａと下球皿６ｂに導く案内樋２０が設けられている。そしてさらに機構板１３には、入賞球を集める球集合樋２１と、その球集合樋２１の終端に連通して１個づつ入賞球を受け入れ、該入賞球を球検出スイッチ２２で検出することによって前記景品球放出装置１９を作動させる入賞球処理装置２３等が設けられている。
【００１２】
一方、前記カード式球貸装置Ｃは、プリペイドカード対応型のもので、薄型直方体のケース体２４内に、プリペイドカードに対して金額情報を読み書きするカードリーダー２５と、球貸用制御装置２６を内蔵したものである。カードリーダー２５は、プリペイドカードの挿入・排出口２７をケース体２４の前面に臨ませたものであり、内蔵モータ（図示せず）の駆動によってプリペイドカードを出し入れする。カード式球貸装置Ｃの貸球放出実行手段は、前記景品球放出装置１９をそのまま利用し、前記操作パネル１０の貸球ボタン７からの貸球命令を受け、球貸用制御装置２６を介して景品球放出装置１９を作動させるよう設定したものである。
【００１３】
カード式球貸装置Ｃは、遊技用制御装置１２と電気的に接続されており、カード式球貸装置Ｃから遊技用制御装置１２に作動環境正常状態を信号で送信するようになっている。すなわち、球貸用制御装置２６と遊技用制御装置１２の間でハンドシェーク通信を行い、遊技用制御装置１２からの確認信号に対して球貸用制御装置２６が応答するのである。そして、遊技用制御装置１２のプログラムは、球貸用制御装置２６からの応答があるまでゲームを開始させない設定になっている。なお、作動環境正常状態信号を暗号化してもよい。
【００１４】
しかして本発明の要旨は、パチンコ機Ｐの電源をカード式球貸装置Ｃ経由で接続し、カード式球貸装置Ｃの電源投入に伴ってパチンコ機Ｐにも電源が供給されるようにしたことにある。なお、この場合にはパチンコ機Ｐのコンセントを特異な形状になし、カード式球貸装置Ｃ以外から電源が供給できないようにしておくのがよい。
【００１５】
次に、動作説明をする。先ず、図１，２のように、パチンコ機Ｐにカード式球貸装置Ｃを組合せた正常な状態でカード式球貸装置Ｃに電源を投入するとそれに伴ってパチンコ機Ｐにも電源が供給され、パチンコ機Ｐ側の遊技用制御装置１２とカード式球貸装置Ｃ側の球貸用制御装置２６が通信し合い、カード式球貸装置Ｃの作動環境正常状態が確認されるから、パチンコ機Ｐがゲーム可能な状態に設定される。従って、カードリーダー２５の挿入・排出口２７にプリペイドカードを差込み、貸球ボタン７から貸球命令を入力すれば、景品球放出装置１９が作動して貸球を上球皿６ａに払い出すから、操作ハンドル１４の打球操作でゲームを開始することができる。
【００１６】
一方、前記パチンコ機Ｐにカード式球貸装置Ｃを組合せそのカード式球貸装置Ｃの電源を切って使用する場合はパチンコ機Ｐにも電源が供給されないため当然使えない。また、確率の調節スイッチ１５付きの遊技用制御装置１２を設けた遊技板１１を、カード式球貸装置Ｃを有しないパチンコ機に装着し、そのパチンコ機の電源で遊技用制御装置１２が作動する不正工作が実施された場合は、遊技用制御装置１２からの確認信号に対して球貸用制御装置２６から応答がないためゲームが開始されず、従って、そのままではパチンコ機が使用できないのである。なお、ゲームが開始できない状態というのは、入賞装置を全く作動させないようにしたり、或いは、パチンコ機Ｐの打球発射モータ２８（図２参照）を停止状態にしておくことであり、ゲームを行うために必要な全機能を停止させるか、或いは、そのうちの一部の機能を停止させてゲームの遂行が不可能な状態におくことを意味する。
【００１７】
以上実施例について説明したが、もちろん本発明は上記実施例に限定されるものではない。例えば、上記実施例では、パチンコ機Ｐの横にカード式球貸装置Ｃを設置するようにしたが、パチンコ機Ｐの内部にカードリーダー２５を組み込んで両者を一体化した場合にも適用可能である。また、実施例は、球貸用制御装置２６と遊技用制御装置１２の間で双方向通信を行うようにしたが、例えば球貸用制御装置２６と打球発射モータ２８とを、或いは、カードリーダー２５と遊技用制御装置１２とを接続して信号を確認するようにしてもよい。また、実施例は、ハンドシェーク通信によりカード式球貸装置Ｃの「作動環境正常」の信号を確認するようにしたが、作動環境正常信号のＯＮ状態を監視するような方式を採用してもよい。
【００１８】
また、実施例は、カード式球貸装置Ｃの電源がＯＮになっていれば無条件で「作動環境正常」の信号を送信可能とする設定であるが、例えば、カードリーダー２５の挿入・排出口２７に異物を検出するセンサーを設け、該センサーの異常信号によって「作動環境正常」の信号を送信不可能となし、前記と同じ要領でゲームが開始できないようにしてもよい。そうすれば、カードの挿入・排出口２７を蓋で塞いでプリペイドカードの使用を不能にし、その上で新しいゲーム内容による利益のみを享受しようとする行為を防止することができる。なお、この場合、異物とプリペイドカードは、カードリーダー２５の読み取り情報により容易に区別できる。
【００１９】
以上の説明から明かなように、本発明は、パチンコ機Ｐの作動と、カード式球貸装置Ｃの作動が有機的に連結されていればよく、従って、作動環境正常状態の確認手段やゲームを開始させないための手段、及び、ゲーム内容はどのような形態であってもよいのである。
【００２０】
【発明の効果】
本発明によれば、カード式球貸装置の電源投入に伴ってパチンコ機に電源が供給されるため、故意にカード式球貸装置の電源を切ったり、或いは、カード式球貸装置を設けずに前記新しいゲーム内容を施したパチンコ機を設置してもゲームを開始することができない。従って、カード式球貸装置を設けたパチンコ機用に開発した新しいゲーム内容を、カード式球貸装置抜きで使おうとする不正行為に対して有効な対抗策となる。
【図面の簡単な説明】
【図１】  パチンコ機とカード式球貸装置を組み合わせた透視斜視図である。
【図２】  パチンコ機とカード式球貸装置を組み合わせた裏面図である。
【符号の説明】
Ｐ  …  パチンコ機
Ｃ  …  カード式球貸装置
【図１】
0003666569.tif 000002
【図２】
0003666569.tif 000003